(57)【要約】  リモコンで車両を遠隔操作する車両制御装置において、ドライバの意図しない車両の遠隔操作を防止する。  リモコン（３）からの遠隔操作により車両を走行制御する際は、停止位置設定装置（９）により車両（２）の停止位置を設定し、車両軌道算出装置（１０）により車両（２）の移動軌跡を算出する。そして、リモコン（３）からの運転操作により車両（２）を算出した移動軌跡に沿って移動させるが、車内からの運転操作とリモコン（３）からの運転操作が競合すると、リモコン（３）の運転操作をキャンセルして車内からの運転操作を優先させる。
2012104964.tif 000002
【特許請求の範囲】
【請求項１】
車内から行う車両の直接操作及び無線端末から行う前記車両の遠隔操作により前記車両の制御を行う車両制御装置であって、
前記車内からの直接操作の少なくとも一部と前記無線端末からの遠隔操作の少なくとも一部とが競合する場合は、前記車内からの直接操作を優先させる、車両制御装置。
【請求項２】
前記車内からの停車及び減速操作と前記無線端末からの運転操作とが競合する場合は、前記車内からの停車及び減速操作を優先させる、請求項１に記載の車両制御装置。
【請求項３】
前記車内からの直接操作と前記無線端末からの遠隔操作との間で同種の操作が競合する場合は、前記車内からの直接操作を優先させる、請求項１に記載の車両制御装置。
【請求項４】
前記車内から行う前記車両の直接操作及び前記無線端末から行う前記車両の遠隔操作により前記車両の制御を行う車両制御装置であって、
運転席が着座状態にある間は、前記無線端末からの遠隔操作の少なくとも一部を取り消す、車両制御装置。
【発明の詳細な説明】
【技術分野】
【０００１】
本発明は、無線端末により車両の遠隔操作を行う車両制御装置に関する。
【背景技術】
【０００２】
特許文献１には、リモコンを用いた車両の遠隔操作により、車両を狭い駐車場に入出庫させる車両制御装置が開示されている。この車両制御装置は、リモコンにより車両の操舵、駆動、制動などを遠隔操作することが可能となっており、ドライバがリモコンを操作することで、車両を駐車場に入庫させたり、駐車場に入庫している車両を出庫させたりすることを可能とするものである。
【先行技術文献】
【特許文献】
【０００３】
【特許文献１】特開２００８−０３３４３８号公報
【発明の概要】
【発明が解決しようとする課題】
【０００４】
しかしながら、リモコンは誰でも操作することが可能であるため、特許文献１に記載された車両制御装置では、ドライバ以外の者がリモコンを用いて車両を遠隔操作してしまい、ドライバの意図しない車両の遠隔操作が行われる可能性があった。【０００５】
そこで、本発明は、ドライバの意図しない車両の遠隔操作を防止することができる車両制御装置を提供することを目的とする。
【課題を解決するための手段】
【０００６】
本発明に係る車両制御装置は、車内から行う車両の直接操作及び無線端末から行う車両の遠隔操作により車両の制御を行う車両制御装置であって、車内からの直接操作の少なくとも一部と無線端末からの遠隔操作の少なくとも一部とが競合する場合は、車内からの直接操作を優先させる。【０００７】
この車両制御装置によれば、車内からの直接操作は基本的にドライバが行うのに対し、無線端末からの遠隔操作はドライバ以外の者も行うことができるため、これらの操作が競合した場合は、車内からの直接操作を優先することで、ドライバの意図しない車両の遠隔操作を防止することができる。【０００８】
この場合、車内からの停車及び減速操作と無線端末からの運転操作とが競合する場合は、車内からの停車及び減速操作を優先させることが好ましい。このように、運転操作と停車及び減速操作との対立する操作が行われても、車内からの停車及び減速操作を優先させることで、ドライバの意図しない車両の遠隔操作を防止することができる。【０００９】
また、車内からの直接操作と無線端末からの遠隔操作との間で同種の操作が競合する場合は、車内からの直接操作を優先させることが好ましい。このように、同種の操作が競合した場合は車内からの直接操作を優先することで、ドライバの意図しない車両の遠隔操作を防止することができる。【００１０】
本発明に係る車両制御装置は、車内から行う車両の直接操作及び無線端末から行う車両の遠隔操作により車両の制御を行う車両制御装置であって、運転席が着座状態にある間は、無線端末からの遠隔操作の少なくとも一部を取り消す。【００１１】
運転席が着座状態にある間は、ドライバによる直接操作が行われていると考えられる。このため、運転席が着座状態にある間は、無線端末からの遠隔操作の少なくとも一部を取り消すことで、ドライバの意図しない車両の遠隔操作を防止することができる。
【発明の効果】
【００１２】
本発明によれば、ドライバの意図しない車両の遠隔操作を防止することができる。
【図面の簡単な説明】
【００１３】
【図１】実施形態に係る車両制御装置の模式図である。
【図２】車両制御装置の概略構成図である。
【図３】車両の遠隔操作を行うリモコンの概略構成図である。
【図４】リモコンによる遠隔操作により車両を駐車場に入庫させる状態を示す図である。
【図５】車内に設置されたディスプレイの表示例を示す図である。
【図６】第１の実施形態における車両制御装置の処理動作を示すフローチャートである。
【図７】第２の実施形態における車両制御装置の処理動作を示すフローチャートである。
【発明を実施するための形態】
【００１４】
以下、図面を参照して、本発明に係る車両制御装置の好適な実施形態について詳細に説明する。本実施形態は、本発明に係る車両制御装置を、リモコンを用いた遠隔操作により車両を駐車場に入庫させる機能を備えた車両制御装置に適用したものである。なお、全図中、同一又は相当部分には同一符号を付すこととする。
［第１の実施形態］
図１は、実施形態に係る車両制御装置を示した模式図である。図１に示すように、本実施形態の車両制御装置１は、車両２に搭載されて車両２の各種制御を行うものであり、リモコン３による車外からの遠隔操作が可能となっている。
【００１５】
図２は、車両制御装置の概略構成図である。図２に示すように、車両制御装置１は、通信装置６と、後方／前方状況検出装置７と、障害物検出装置８と、停止位置設定装置９と、車両軌道算出装置１０と、操作検出装置１１と、車両状態検出装置１２と、車両ＥＣＵ１５（ＥＣＵ：Electronic Control Unit）と、走行制御装置１８と、を備える。
【００１６】
通信装置６は、赤外線通信等の通信手段を利用してリモコン３と通信を行うものである。具体的に説明すると、通信装置６は、リモコン３から、車両２を遠隔操作するための運転操作情報や、リモコン３の現在位置を示す位置情報などを取得する。そして、通信装置６は、リモコン３から取得した情報を車両ＥＣＵ１５に送信する。
【００１７】
後方／前方状況検出装置７は、車両２の後方及び前方の状況を検出し、この検出した状況をドライバなどに通知するものである。具体的に説明すると、後方／前方状況検出装置７は、車両２の後部及び前部に搭載されたカメラなどの撮像手段（不図示）により、車両２の後方及び前方を撮像する。そして、後方／前方状況検出装置７は、この撮像した画像を車内に搭載したディスプレイ（不図示）に表示する。
【００１８】
障害物検出装置８は、車両２の周囲に存在する障害物を検出し、この検出した障害物をドライバなどに通知するものである。具体的に説明すると、障害物検出装置８は、ミリ波レーダやレーザレーダなどのセンシング手段（不図示）、カメラなどの撮像手段（不図示）、ＧＰＳ（Global Positioning System）（不図示）などを用いて、車両２の周囲に存在する縁石、壁、駐車車両などの障害物を検出する。検出する情報には、障害物の大きさ、種類、位置などが含まれる。障害物の大きさ、種類、位置などは、周知の技術を用いて求めることができる。例えば、障害物の大きさや種類は、撮像手段により撮像された撮像画像のパターンマッチングにより求めることができ、障害物の位置は、センシング手段による測距やＧＰＳによる位置情報の取得により求めることができる。そして、障害物検出装置８は、この検出した障害物の情報を車両ＥＣＵ１５に送信する。また、障害物検出装置８は、ディスプレイに表示される車両２の後方及び前方の撮像画像に、この検出した障害物のモデルを重ね合わせて表示する。
【００１９】
停止位置設定装置９は、リモコン３による遠隔操作を行うために、車両２を停止させる停止位置（駐車場の入庫完了位置）を設定するものである。具体的に説明すると、停止位置設定装置９は、ドライバがタッチパネルや操作ボタンなどのポインティングデバイスを操作することで、ディスプレイの表示画面における車両２の停止位置を設定する。そして、停止位置設定装置９は、設定した停止位置を車両ＥＣＵ１５に送信する。
【００２０】
車両軌道算出装置１０は、リモコン３による遠隔操作により車両２を走行させるための軌道を算出するものである。具体的に説明すると、車両軌道算出装置１０は、ＧＰＳなどから取得した車両２の現在位置から停止位置設定装置９により設定した停止位置に至る車両２の軌道を算出する。この軌道の算出にあたり、車両軌道算出装置１０は、障害物検出装置８で検出した障害物に衝突しないことを条件とする。そして、車両軌道算出装置１０は、この算出した軌道で車両２が走行するように、前進、後退、加速、減速、定速走行、操舵などを組み合わせた走行計画を算出する。そして、車両軌道算出装置１０は、この算出した車両２の軌道及び走行計画を車両ＥＣＵ１５に送信する。
【００２１】
操作検出装置１１は、車内からの各種操作を検出するものである。具体的に説明すると、操作検出装置１１は、アクセル操作（発進操作や加速操作など）、ブレーキ操作（減速操作や停車操作など）、操舵操作、シフト操作などのドライバが車内で行う運転操作を検出する。そして、操作検出装置１１は、この検出した運転操作の情報を車両ＥＣＵ１５に送信する。このため、車両ＥＣＵ１５は、操作検出装置１１から送信された運転操作情報を取得することで、ドライバによる車内からの運転操作の有無、及び、ドライバが車内から行った運転操作の内容を認識することができる。
【００２２】
車両状態検出装置１２は、車両２の各種状態を検出するものである。具体的に説明すると、車両状態検出装置１２は、車両２のドアの開閉を検出する開閉センサや、運転席の着座有無を検出する着座センサなどで構成される。そして、車両状態検出装置１２は、これらのセンサが検出した車両状態情報を車両ＥＣＵ１５に送信する。すなわち、車両状態検出装置１２の一つである開閉センサは、ドアの閉状態又は開状態を検出すると、この検出した情報を車両ＥＣＵ１５に送信する。また、車両状態検出装置１２の一つである着座センサは、運転席にドライバが着座したことを検出すると、この検出した情報を車両ＥＣＵ１５に送信する。
【００２３】
車両ＥＣＵ１５は、ドライバによる車内からの運転操作（直接操作）と、リモコン３からの運転操作（遠隔操作）と、に基づいて車両２の走行制御を行う制御部である。具体的に説明すると、車両ＥＣＵ１５は、通信装置６が取得したリモコン３からの送信情報、障害物検出装置８が検出した障害物の情報、停止位置設定装置９が設定した停止位置の情報、車両軌道算出装置１０が算出した車両２の軌道及び走行計画、操作検出装置１１が検出した運転操作情報、及び、車両状態検出装置１２が検出した車両状態情報などに基づいて、リモコン３による遠隔操作により車両２の走行制御を行う。なお、車両ＥＣＵ１５の詳細な処理内容は後述する。
【００２４】
走行制御装置１８は、車両ＥＣＵ１５による走行制御に基づいて車両２の具体的な走行制御を行うものである。具体的に説明すると、走行制御装置１８は、駆動力の大きさを制御する駆動力制御部、制動力の大きさを制御する制動力制御部、操舵角を制御する操舵制御部などで構成される。
【００２５】
図３は、車両の遠隔操作を行うリモコンの概略構成図である。図３に示すように、リモコン３は、入力装置２１と、位置検出装置２２と、通信装置２５と、を備えている。
【００２６】
入力装置２１は、リモコン３の操作者が車両２の遠隔操作を行うものである。具体的に説明すると、入力装置２１は、タッチパネル式ディスプレイ上に表示されたキーパッドや押しボタンなどの遠隔操作ボタンにより構成される。入力装置２１は、車両２を遠隔操作により運転するための運転操作機能が対応付けられている。すなわち、入力装置２１には、車両制御装置１の車両軌道算出装置１０で算出された軌道及び走行計画に従って車両２を移動させる運転操作機能と、車両２を前進、後退、加速、減速、定速走行、緊急停止、操舵させる各運転操作機能とが付与されている。そして、入力装置２１は、操作者により遠隔操作ボタンが操作されると、この操作情報を通信装置２５に送信する。
【００２７】
位置検出装置２２は、リモコン３の位置を検出するものである。具体的に説明すると、位置検出装置２２は、ＧＰＳから位置情報を取得することや、車両制御装置１との通信により車両２との相対位置を取得することなどにより、リモコン３の位置を検出する。そして、位置検出装置２２は、この取得したリモコン３の位置情報を通信装置２５に送信する。これにより、操作者は、入力装置２１を操作することで、リモコン３から車両２を運転操作することが可能となっている。
【００２８】
通信装置２５は、赤外線通信等の通信手段を利用してリモコン３と通信を行うものである。具体的に説明すると、通信装置２５は、入力装置２１で操作された操作情報を車両制御装置１の通信装置６に送信するとともに、位置検出装置２２で検出したリモコン３の位置情報を車両制御装置１の通信装置６に送信する。
【００２９】
次に、図４〜図６を参照して、リモコン３による遠隔操作により車両２を運転操作する場合の処理動作について説明する。図４は、リモコンによる遠隔操作により車両を駐車場に入庫させる状態を示す図である。図５は、車内に設置されたディスプレイの表示例を示す図である。図６は、車両制御装置の処理動作を示すフローチャートである。
【００３０】
ここでは、図４に示すように、ドアを開けることができない狭い駐車場に車両２を後退させて入庫させる場合を考える。この場合、ドライバの運転により車両２を駐車場に入庫させるとドライバが車両２から出られない。そこで、以下に詳しく説明するように、リモコン３による遠隔操作により車両２を駐車場に入庫させる。
【００３１】
まず、入庫したい駐車場の前方に車両２を停止させる。すると、図５に示すように、車内に設置されたディスプレイには、後方／前方状況検出装置７により撮像された車両２後方の撮像画像に、障害物検出装置８により検出された車両２周囲に存在する障害物のモデルが重ねられて表示される。なお、図５において、Ａは、駐車場を囲む壁を示しており、Ｂは、障害物検出装置８により検出された障害物のモデルを示している。
【００３２】
次に、車両ＥＣＵ１５は、リモコン３により車両を遠隔操作するか否かを判定する（ステップＳ１）。この判定は、車両２に設置されたディスプレイや操作ボタンなどにより、ドライバがリモコン３による遠隔操作を選択したか否かにより行う。
【００３３】
ステップＳ１においてリモコン３により車両を遠隔操作すると判定すると、車両ＥＣＵ１５は、車両２の停止位置を設定するか否かを判定する（ステップＳ２）。
【００３４】
ここで、車両２の停止位置を設定するか否かの判断について詳しく説明する。単純な直線軌道で車両２を後退させる場合は、車両軌道算出装置１０により車両２の軌道を算出すれば車両２の停止位置を求めることができる。このため、この場合は、ステップＳ２において特に車両２の停止位置を設定しなくてもよい。一方、単純な直線軌道で車両２を後退させることができない場合は、車両２の停止位置を設定していないと、車両軌道算出装置１０により車両２の軌道を算出することができない。このため、この場合は、ステップＳ２において車両２の停止位置を設定しておく必要がある。そこで、ステップＳ２では、単純な直線軌道で車両２を後退させることができるか否かに基づいて、車両２の停止位置を設定するか否かを判定する。なお、この判断は、ドライバの操作に基づいて行ってもよく、車両ＥＣＵ１５による計算により行ってもよい。
【００３５】
そして、ステップＳ２において車両２の停止位置を設定すると判定すると（ステップＳ２：ＹＥＳ）、車両ＥＣＵ１５は、停止位置設定装置９により車両２の停止位置を設定し、車両軌道算出装置１０により車両２の軌道及び走行計画を算出する（ステップＳ３）。停止位置の設定は、例えば、図５に示すように、タッチパネル式のディスプレイに車両２後方の撮像画像を表示させ、ドライバが停止位置を指でタッチすることにより行うことができる。そして、車両ＥＣＵ１５は、ステップＳ３で算出した軌道をディスプレイに表示し、ドライバがディスプレイに表示した軌道を確認すると、車両ＥＣＵ１５は、この確認した軌道を、リモコン３による遠隔操作により車両２を移動させる軌道として決定する。
【００３６】
一方、ステップＳ２において車両２の停止位置を設定しないと判定すると（ステップＳ２：ＮＯ）、車両ＥＣＵ１５は、ドライバによる停止位置の設定を省略して、車両２の軌道及び走行計画を算出する（ステップＳ４）。なお、ステップＳ４では、車両２の軌道を単純な直線状とする。そして、車両ＥＣＵ１５は、ステップＳ４で算出した直線状の軌道をディスプレイに表示し、ドライバがディスプレイに表示した直線状の軌道を確認すると、車両ＥＣＵ１５は、この確認した直線状の軌道を、リモコン３による遠隔操作により車両２を移動させる軌道として決定する。
【００３７】
次に、車両ＥＣＵ１５は、遠隔操作の移動条件を満たしているか否かを判定する（ステップＳ５）。
【００３８】
ここで、遠隔操作の移動条件について詳しく説明する。遠隔操作の移動条件は、リモコン３による車両２の遠隔操作を許可してよいか否かを判断するための条件であり、例えば、以下の１１項目が挙げられる。
【００３９】
移動条件１：停止位置が設定されていること。具体的に説明すると、ステップＳ２において車両２の停止位置を設定すると判定した場合（ステップＳ２：ＹＥＳ）に、この停止位置が正しく設定されていることを移動条件とする。なお、ステップＳ２において車両２の停止位置を設定しないと判定した場合（ステップＳ２：ＮＯ）は、移動条件１を除外する。
【００４０】
移動条件２：リモコン３の遠隔操作により車両２を移動させる軌道がドライバにより確認されていること。具体的に説明すると、ステップＳ３又はステップＳ４において算出した軌道がドライバにより確認されていることを移動条件とする。なお、ドライバによる確認は、例えば、タッチパネル式ディスプレイに確認用のキーパッドを表示させ、このキーパッドがタッチされたか否かにより判断することができる。
【００４１】
移動条件３：車外からリモコン３を操作していること。具体的に説明すると、リモコン３のから送信された位置情報により特定されるリモコン３の位置が車外であることを移動条件とする。なお、リモコン３から車両制御装置１への位置情報の送信は、車両制御装置１からリモコン３に送信要求することを契機に行ってもよく、車両制御装置１からの送信要求に関わりなくリモコン３が定期的に行ってもよい。
【００４２】
移動条件４：運転席に人が座っていないこと。具体的に説明すると、車両状態検出装置１２の着座センサが運転席の着座を検出していないことを移動条件とする。
【００４３】
移動条件５：車内から運転操作が行われていないこと。具体的に説明すると、操作検出装置１１が運転操作を検出していないことを移動条件とする。
【００４４】
移動条件６：車両２のドアが開いていないこと。具体的に説明すると、車両状態検出装置１２の開閉センサがドアの閉状態を検出していることを移動条件とする。
【００４５】
移動条件７：リモコン３の電波が車両２に届いていること。具体的に説明すると、リモコン３の通信装置２５と車両制御装置１の通信装置６との間の通信が正常であることを移動条件とする。
【００４６】
移動条件８：リモコン３の遠隔操作により車両２を移動させる軌道内に人などの障害物が存在しないこと。具体的に説明すると、ステップＳ３又はステップＳ４において決定した軌道内で、障害物検出装置８が障害物を検出していないことを移動条件とする。
【００４７】
移動条件９：リモコン３の操作者から車両２の動きが見えること。具体的に説明すると、リモコン３のから送信された位置情報から特定されるリモコン３の位置と、ステップＳ３又はステップＳ４において決定した軌道との間で、障害物検出装置８が障害物を検出していないことを移動条件とする。
【００４８】
移動条件１０：リモコン３の操作者が運転免許を保持する者であること。具体的に説明すると、リモコン３に指紋登録装置を搭載するとともに、運転免許を保持する者の指紋を登録しておき、この登録した指紋と指紋登録装置で検出した指紋とが合致することを移動条件とする。なお、この移動条件は、リモコン３にチャイルドロックを搭載しておき、このチャイルドロックを解除することにより実現してもよい。
【００４９】
移動条件１１：停止位置が設定されていない場合、リモコン３の操作者が車両２の移動方向前方に立っていること。具体的に説明すると、車両２の停止位置を設定しない場合は（ステップＳ２：ＮＯ、ステップＳ４）、リモコン３の操作者がリモコン３による遠隔操作により車両２を移動させて停止させるため、リモコン３の操作者が車両２の移動を確実に確認する必要がある。そこで、この場合は、リモコン３のから送信された位置情報から特定されるリモコン３の位置が、車両２の進行方向前方であることを移動条件とする。
【００５０】
そして、ステップＳ５において移動条件を満たしていると判定すると（ステップＳ５：ＹＥＳ）、車両ＥＣＵ１５は、リモコン３の遠隔操作ボタンが押されている間、車両２をステップＳ３又はステップＳ４で決定された軌道及び走行計画に従って移動させる（ステップＳ６）。このとき、リモコン３の遠隔操作ボタンが開放されると、車両ＥＣＵ１５は、車両２を減速させて停車させる。
【００５１】
次に、車両ＥＣＵ１５は、車両２が停止位置に達したか否かを判定する（ステップＳ７）。具体的に説明すると、リモコン３の遠隔操作により移動させる車両２が、ステップＳ３において設定した停止位置に到達していれば、車両２が停止位置に達したと判定する。一方、リモコン３の遠隔操作により移動させる車両２が、ステップＳ３において設定した停止位置に到達していなければ、車両２が停止位置に達していないと判定する。
【００５２】
そして、ステップＳ７において車両２が停止位置に達していないと判定すると（ステップＳ７：ＮＯ）、車両ＥＣＵ１５は、ステップＳ５に戻り、再度上述した処理を繰り返す。一方、ステップＳ７において車両２が停止位置に達したと判定すると（ステップＳ７：ＹＥＳ）、車両ＥＣＵ１５は、処理を終了する。
【００５３】
上述したステップＳ５において移動条件を満たしていないと判定すると（ステップＳ５：ＮＯ）、車両ＥＣＵ１５は、車内からの運転操作が行われているか否かを判定する（ステップＳ８）。具体的に説明すると、ステップＳ８では、ステップＳ５の各移動条件のうち移動条件５を満たしていえるか否かに基づいて判定する。なお、ステップＳ８の判定対象は、全ての運転操作である必要はなく、一部の運転操作のみであってもよい。例えば、減速操作や停車操作であるブレーキ操作のみを、判定対象としてもよい。
【００５４】
そして、ステップＳ８において車内からの運転操作が行われていないと判定すると（ステップＳ８：ＮＯ）、車両ＥＣＵ１５は、リモコン３からの運転操作をキャンセルする（ステップＳ９）。なお、ステップＳ５において運転席に人が座っていないことを移動条件４としているため、運転席が着座状態でない間は、ステップＳ９によりリモコン３からの運転操作がキャンセルされる。そして、リモコン３からの運転操作をキャンセルしたことを通知する（ステップＳ１０）。なお、ステップＳ１０の通知は、例えば、車内に搭載したスピーカーからの音声アナウンスや、車内に搭載したディスプレイからの映像アナウンスなどにより行うことができる。
【００５５】
そして、車両ＥＣＵ１５は、車両２が停止位置に達するまで、ステップＳ５に戻って上述した処理を繰り返し（ステップＳ７）、車両２が停止位置に達すると処理を終了する。
【００５６】
一方、ステップＳ８において車内からの運転操作が行われていると判定すると（ステップＳ８：ＹＥＳ）、車両ＥＣＵ１５は、リモコン３からの運転操作をキャンセルして車内からの運転操作を優先して実行する（ステップＳ１１）。これにより、車内からの運転操作とリモコン３から運転操作とが競合した場合は、車内からの運転操作が優先される。そして、リモコン３からの走行制御をキャンセルしたことを通知する（ステップＳ１２）。なお、ステップＳ１２の通知はステップＳ１０の通知と同様の方法で行うことができる。
【００５７】
そして、車両ＥＣＵ１５は、リモコン３による運転操作を行うことなく処理を終了する。
【００５８】
このように、第１の実施形態によれば、車内からの運転操作とリモコン３からの運転操作とが競合した場合は、車内からの運転操作を優先することで、ドライバの意図しない車両２の遠隔操作を防止することができる。
【００５９】
また、車内及びリモコン３から対立する操作が行われても、ステップＳ８及びステップＳ１１の処理により車内からの操作を優先させるため、ドライバの意図しない車両２の遠隔操作を防止することができる。
【００６０】
また、運転席が着座状態にある間はリモコン３からの運転操作を取り消すため、ドライバの意図しない車両の遠隔操作を防止することができる。
［第２の実施形態］
次に、第２の実施形態について説明する。第２の実施形態は、基本的に第１の実施形態と同様であるが、車両ＥＣＵ１５の処理動作の一部のみ相違する。このため、以下では、第１の実施形態と相違する部分のみ説明し、第１の実施形態と同じ部分は説明を省略する。
【００６１】
図７は、第２の実施形態における車両制御装置の処理動作を示すフローチャートである。図７に示すように、車両ＥＣＵ１５は、第１の実施形態と同様に、ステップＳ１からステップＳ７までを順次行う。
【００６２】
そして、ステップＳ５において移動条件を満たしていないと判定すると（ステップＳ５：ＮＯ）、車両ＥＣＵ１５は、車内とリモコン３とで同種の操作が行われているか否かを判定する（ステップＳ２１）。具体的に説明すると、ステップＳ２１では、操作検出装置１１が検出した車内からの運転操作の種類と、通信装置６を介して取得したリモコン３からの運転操作の種類とを比較し、種類が同じであれば車内とリモコン３とで同種の操作が行われていると判定し、種類が異なれば車内とリモコン３とで同種の操作が行われていないと判定する。
【００６３】
そして、ステップＳ２１において車内とリモコン３とで同種の操作が行われていないと判定すると（ステップＳ２１：ＮＯ）、車両ＥＣＵ１５は、ステップＳ９に進み、以後、第１の実施形態と同様の処理を行う。
【００６４】
一方、ステップＳ２１において車内とリモコン３とで同種の操作が行われていると判定すると（ステップＳ２１：ＹＥＳ）、車両ＥＣＵ１５は、ステップＳ１１に進み、以後、第１の実施形態と同様の処理を行う。
【００６５】
このように、第２の実施形態によれば、車内とリモコン３とで同種の操作が行われてもステップＳ２１及びステップＳ１１の処理により車内からの運転操作を優先させるため、ドライバの意図しない車両２の遠隔操作を防止することができる。
【００６６】
以上、本発明の好適な実施形態について説明したが、本発明は上記実施形態に限定されるものではない。例えば、上記実施形態では、車内からの運転操作とリモコン３からの運転操作が競合した場合、リモコン３からの運転操作を全てキャンセルして車内からの運転操作を優先させるものとして説明したが、一部の運転操作が競合する場合にのみ、リモコン３からの運転操作をキャンセルして車内からの運転操作を優先させるものとしてもよい。
【００６７】
また、上記実施形態では、車内からの運転操作とリモコン３から運転操作とが競合した場合は、車内からの運転操作を優先するものとして説明したが、車内から停車及び減速操作以外の運転操作が行われ、リモコン３から停車及び減速操作の運転操作が行われた場合は、リモコン３からの運転操作を優先させるものとしてもよい。
【産業上の利用可能性】
【００６８】
本発明は、遠隔操作により車両の走行制御を行う車両制御装置として利用可能である。
【符号の説明】
【００６９】
１…車両制御装置、２…車両、３…リモコン（無線端末）、６…通信装置、７…後方／前方状況検出装置、８…障害物検出装置、９…停止位置設定装置、１０…車両軌道算出装置、１１…操作検出装置、１２…車両状態検出装置、１５…車両ＥＣＵ、１８…走行制御装置、２１…入力装置、２２…位置検出装置、２５…通信装置。
【図１】
2012104964.tif 000003
【図２】
2012104964.tif 000004
【図３】
2012104964.tif 000005
【図４】
2012104964.tif 000006
【図５】
2012104964.tif 000007
【図６】
2012104964.tif 000008
【図７】
2012104964.tif 000009
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
車内から行う車両の直接操作及び無線端末から行う前記車両の遠隔操作により前記車両の制御を行う車両制御装置であって、
前記車内からの直接操作の少なくとも一部と前記無線端末からの遠隔操作の少なくとも一部とが競合する場合は、前記車内からの直接操作を優先させ、
前記車内からのブレーキ操作と前記無線端末からの運転操作とが競合する場合は、前記車内からのブレーキ操作を優先させる、
車両制御装置。
【請求項２】
前記車内からの停車及び減速操作と前記無線端末からの運転操作とが競合する場合は、前記車内からの停車及び減速操作を優先させる、請求項１に記載の車両制御装置。
【請求項３】
前記車内からの直接操作と前記無線端末からの遠隔操作との間で同種の操作が競合する場合は、前記車内からの直接操作を優先させる、請求項１に記載の車両制御装置。
【請求項４】
車内から行う車両の直接操作及び無線端末から行う前記車両の遠隔操作により前記車両の制御を行う車両制御装置であって、
運転席が着座状態にある間は、前記無線端末からの遠隔操作の少なくとも一部を取り消し、
前記車内からのブレーキ操作と前記無線端末からの運転操作とが競合する場合は、前記車内からのブレーキ操作を優先させる、
車両制御装置。
【請求項５】
前記車内から停車及び減速操作以外の運転操作が行われ、前記無線端末から停車及び減速操作の運転操作が行われた場合は、前記無線端末からの運転操作を優先させる、
請求項１又は４に記載の車両制御装置。
【手続補正２】
【補正対象書類名】明細書
【補正対象項目名】０００６
【補正方法】変更
【補正の内容】
【０００６】
本発明に係る車両制御装置は、車内から行う車両の直接操作及び無線端末から行う車両の遠隔操作により車両の制御を行う車両制御装置であって、車内からの直接操作の少なくとも一部と無線端末からの遠隔操作の少なくとも一部とが競合する場合は、車内からの直接操作を優先させ、車内からのブレーキ操作と無線端末からの運転操作とが競合する場合は、車内からのブレーキ操作を優先させる。
【手続補正３】
【補正対象書類名】明細書
【補正対象項目名】００１０
【補正方法】変更
【補正の内容】
【００１０】
本発明に係る車両制御装置は、車内から行う車両の直接操作及び無線端末から行う車両の遠隔操作により車両の制御を行う車両制御装置であって、運転席が着座状態にある間は、無線端末からの遠隔操作の少なくとも一部を取り消し、車内からのブレーキ操作と無線端末からの運転操作とが競合する場合は、車内からのブレーキ操作を優先させる。
【手続補正４】
【補正対象書類名】明細書
【補正対象項目名】００１１
【補正方法】変更
【補正の内容】
【００１１】
運転席が着座状態にある間は、ドライバによる直接操作が行われていると考えられる。このため、運転席が着座状態にある間は、無線端末からの遠隔操作の少なくとも一部を取り消すことで、ドライバの意図しない車両の遠隔操作を防止することができる。
これらの場合、車内から停車及び減速操作以外の運転操作が行われ、無線端末から停車及び減速操作の運転操作が行われた場合は、無線端末からの運転操作を優先させることが好ましい。
【国際調査報告】
2012104964.tif 000010
2012104964.tif 000011
2012104964.tif 000012
2012104964.tif 000013
2012104964.tif 000014
2012104964.tif 000015
2012104964.tif 000016
2012104964.tif 000017